(57)【要約】【課題】  浄化排水総量が月間５０立方メートル以下の歯科医院の治療に於いて、チェアユニットから出る排液を殺菌して浄化し、排水する浄化システムを提供する。【解決手段】  排液浄化装置１は、チェアユニット１０と傾斜排液管１３と薬剤殺菌浄水部１６と浄化排水管１８と浄化排水タンク１９とから成る。薬剤殺菌浄水部１６には、内部に次亜塩素酸カルシウムが納められたカートリッジ１７が交換自在にセットされる。チェアユニット１０からの排液は傾斜排液管１３から薬剤殺菌浄水部１６に至り、次亜塩素酸カルシウムの作用により殺菌浄化されて、浄化排水管１８を通り浄化排水タンク１９に貯蔵される。浄化排水タンク１９の流量計１００によれば、廃液の月間積算量が５０立方メートル以下であることが確認される。【選択図】図１
2018149253.tif 000002
【特許請求の範囲】
【請求項１】
患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路からの排液を薬剤で殺菌するための薬剤殺菌浄水部と、該薬剤殺菌浄水部から浄化排水を取り出すための浄化排水管とを備えており、この浄化排水管から流す浄化排水の総量が月間５０立方メートル以下であることを特徴とする歯科治療用の排液浄化システム。
【請求項２】
前記薬剤殺菌浄水部は前記薬剤として塩素化イソシアヌル酸を納めるものである、請求項１に記載の歯科治療用の排液浄化システム。
【請求項３】
前記薬剤殺菌浄水部は前記薬剤として次亜塩素酸カルシウムを納めるものである、請求項１に記載の歯科治療用の排液浄化システム。
【請求項４】
殺菌浄化された浄化排水を計量するための計量手段を備える、請求項１に記載の歯科治療用の排液浄化システム。
【請求項５】
前記浄化排水管に浄化排水を溜めておくための浄化排水タンクを備えている、請求項１に記載の歯科治療用の排液浄化システム。
【請求項６】
前記排液流路に揚水のための揚水ポンプを介在させて成る、請求項１に記載の歯科治療用の排液浄化システム。
【請求項７】
前記薬剤殺菌浄水部の前段または後段に、更に瀘過のための浄水槽を備えている、請求項１に記載の歯科治療用の排液浄化システム。
【請求項８】
更に前記排液流路に紫外線殺菌灯からの紫外線を照射して排液を浄化するための紫外線殺菌浄水部を備えている、請求項１に記載の歯科治療用の排液浄化システム。
【発明の詳細な説明】
【技術分野】
【０００１】  本発明は、患者を腰掛けさせるなどして治療するためのチェアユニットから排出される排液を浄化して歯科衛生に寄与する、浄化排水の総量が月間５０立方メートル以下である規模の小さな歯科医院等の病院に最適な、歯科治療用の排液浄化システムに関する。
【背景技術】
【０００２】  従来の歯科治療に於いては、チェアユニットから出るバキューム排液から空気を除去して排液を取り出し、空気は空中に放出して、排液は傾斜排液管等の排液管に流す水回路を備えた排液排出装置が用いられて来た。なおこれとは別にうがい排液を流す回路も備えている。このような排液にはだ液、血液、歯垢等々が混在しており、雑菌を含んで不衛生であった。【０００３】  このような排液が水回路中に残留するため、これを排出するものとして特開２００９−２１９７２３では、水回路中の残留水を空気と共に吸引して排出する吸引回路を水回路に設けたものとしている。この他水回路の残留水に加圧して排出するタイプのものもある。
【先行技術文献】
【特許文献】
【０００４】
【特許文献１】特開２００９−２１９７２３（図１）
【発明の概要】
【発明が解決しようとする課題】
【０００５】  しかしながら従来の排液排出装置では、排液は浄化されないまま流されており、だ液、血液、歯垢等が混在し、雑菌が繁殖する不衛生な環境を不本意ながら提供していた。従って本発明はこのような問題をより簡易な方法で解決して、歯科衛生に寄与することを目的とする。
【課題を解決するための手段】
【０００６】  上記の課題は、患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路からの排液を薬剤で殺菌するための薬剤殺菌浄水部と、該薬剤殺菌浄水部から浄化排水を取り出すための浄化排水管とを備えており、この浄化排水管から流す浄化排水の総量が月間５０立方メートル以下であることを特徴とする歯科治療用の排液浄化システムを提供することにより解決する。【０００７】  前記排液分離器はチェアユニットからのバキューム排液から空気を抜いて排液を出す。この排液とうがい排液とは従来のように排液流路に流されるが、本発明ではこの排液流路に薬剤殺菌浄水部が設けられており、排液流路からの排液を薬剤で殺菌する。これにより排液は殺菌浄化されて排出される。従来のものと異なり本発明の排液浄化システムからは極力殺菌浄化された排水が浄化排水管に取り出される。【０００８】  特に浄化排水の総量が月間５０立方メートル以下である規模の小さな歯科医院等の病院に於いては、従来の排液排出装置ではだ液、血液、歯垢等が混在し、雑菌が繁殖する不衛生な排液が浄化されないまま流されていた。これを本発明の殺菌浄水器ではその排液流路に薬剤で殺菌するための薬剤殺菌浄水部を設けて排液を浄化するのである。これは病院の衛生環境にとって極めて重要なことである。【０００９】  薬剤殺菌浄水部の薬剤は、例えばカートリッジ式にすることで交換などのメンテナンスが容易になる。また例えば活性炭を併用するなどして臭いを吸着することが出来る。また太陽光線中の紫外線の殺菌作用が及ばない場所でも殺菌作用を継続して現すことが可能である。【００１０】  次に、前記薬剤殺菌浄水部は前記薬剤として塩素化イソシアヌル酸を納めるものとしても良い。すなわち薬剤に塩素化イソシアヌル酸を用いるのである。塩素化イソシアヌル酸は粒状や顆粒状のものを、カートリッジなどの薬筒（筒状容器）に詰めて使用すると便利である。この薬剤は汚水量の上昇に応じて塩素濃度を上げて対応することが可能である。【００１１】  次に、前記薬剤殺菌浄水部は前記薬剤として次亜塩素酸カルシウムを納めるものとしても良い。次亜塩素酸カルシウムはさらし粉とかカルキなどと呼ばれるものである。これが薬剤殺菌浄水部の内部で用いられ、水には徐々に溶けるため殺菌効果が長続きすると言う利点がある。【００１２】  なお殺菌浄化された排液を計量するための計量手段を備えるとなお良い。排液量が月間５０立方メートル以下であるかがより分かりやすくなる。【００１３】  次に、前記浄化排水管に浄化排水を溜めておくための浄化排水タンクを備えているものとすることが出来る。この浄化排水タンクは一度薬剤で殺菌した後の浄化排水を溜めることになるから従来技術に比してより衛生的である。【００１４】  次に、前記排液流路に揚水のための揚水ポンプを介在させて成るものとしても良い。上述したように殺菌浄水器を床下の傾斜等排液管周りに設けることは可能であるが、それでも場合によっては床下には傾斜等排液管しか通せないと言うような建築構造もある。そこで例えば壁面内に殺菌浄水器を設けるような設計とするのであれば、殺菌浄水器まで排液を揚げるための揚水ポンプを用いる設計とすれば良い。【００１５】  次に、前記薬剤殺菌浄水部の前段または後段に、更に瀘過のための浄水槽を備えているものとしても良い。浄水槽の瀘過部材としては木炭、トルマリン粒などの各種石類、藁などの植物の茎や樹木の皮、浄水用の合成樹脂ファイバー等々を上げる。このような浄水槽に排液を通すことでも排液を浄化することが出来る。すなわち本発明の排液浄化システムに於ける薬剤殺菌浄水部と浄水槽との相乗効果が得られるのである。【００１６】  次に、更に前記排液流路に紫外線殺菌灯からの紫外線を照射して排液を浄化するための紫外線殺菌浄水部を備えているものとすることが出来る。紫外線殺菌浄水部の紫外線殺菌灯から排液流路の排液に対して紫外線を照射することによって排液が殺菌浄化されて排出される。従って排液の薬剤による殺菌に加えて紫外線殺菌が行われるため、この相乗効果によってより殺菌浄化された排水が浄化排水管に取り出されることになる。これは従来比からすると更に画期的なものである。【００１７】  なお本発明で用いる紫外線殺菌灯には水銀電球や紫外線ＬＥＤ（Ｌｉｇｈｔ  Ｅｍｉｔｔｉｎｇ  Ｄｉｏｄｅ）などがあるが、どのような紫外線殺菌灯を用いるかは任意である。【００１８】  なお更に、前記紫外線殺菌灯を排液流路に臨ませて設けて成るものとしても良い。紫外線殺菌灯からの紫外線を排液に照射する設計には各種あるが、排液流路に臨ませて紫外線殺菌灯を設ける設計がより簡易である。例えば床下の傾斜排液管周りに殺菌浄水器を設けることもそれほど難しくはない。また前記殺菌浄水器は、前記紫外線殺菌灯の複数本を排液流路中に排液流路に沿って設けて成るものとしても良い。殺菌浄水器の紫外線殺菌灯の間間が排液流路となることから、ここを流れている排液は紫外線によって、より高効率で殺菌浄化されることになる。
【発明の効果】
【００１９】  本発明の歯科治療用の排液浄化システムによれば、チェアユニットの排液流路に殺菌浄水器の薬剤殺菌浄水部を設けたことにより、薬剤で排液を殺菌して浄化することが出来、浄化排水の総量が月間５０立方メートル以下である規模の小さな医院の歯科衛生に寄与するものとなっており、簡易なものでありながらその産業上の利益には計り知れないものがある。なお更に紫外線を排液に照射する紫外線殺菌浄水部をも備えているものでは、相乗効果によってより高い殺菌効果を上げることが可能である。
【図面の簡単な説明】
【００２０】
【図１】実施例１の説明図である。
【図２】実施例２の説明図である。
【図３】実施例３の説明図である。
【図４】実施例４の説明図である。
【図５】実施例５の説明図である。
【発明を実施するための形態】
【００２１】  以下本発明の５種類の実施例を図１〜図５を参照しつつ説明するが、本発明はこれ等の実施例に限定されるものではない。
【実施例１】
【００２２】  本実施例の排液浄化装置１のチェアユニット１０からは、バキューム排液管１１とうがい排液管１２とが取り出されており、バキューム排液管１１は排液分離器１４に接続されており、排液分離器１４の排出口は排液弁１５を介して前記うがい排液管１２と共に傾斜排液管１３に接続されている。この傾斜排液管１３は傾斜して設置されているため、これ等の排液は自然に下流に流れるようになっている。【００２３】  傾斜排液管１３の下流の排液流路には薬剤殺菌浄水部１６が接続されている。この薬剤殺菌浄水部１６には、内部に次亜塩素酸カルシウムが納められたカートリッジ１７が交換自在にセットされている。なお薬剤殺菌浄水部１６の排水口には浄化排水管１８が接続されている。こうして薬剤殺菌浄水部１６のカートリッジ１７内の次亜塩素酸カルシウムの作用によって殺菌浄化された浄化排水は、浄化排水管１８を介して浄化排水タンク１９に貯蔵される。流量計１００はこの浄化排水タンク１９のタンク排水管１０１に取り付けられており、ここで積算した廃液の月間積算量は５０立方メートル以下であることが確認される。【００２４】  本実施例によれば、薬剤殺菌浄水部１６のカートリッジ１７は次亜塩素酸カルシウムが納められただけの簡易なものであるが、これによって排液を殺菌して浄化することが出来ると言う効果を奏する。すなわち従来技術に比してより衛生的なものとなっている。
【実施例２】
【００２５】  本実施例の排液浄化装置２のチェアユニット２０からは、バキューム排液管２１とうがい排液管２２とが取り出されており、バキューム排液管２１は排液分離器２４に接続されており、排液分離器２４の排出口は排液弁２５を介して前記うがい排液管２２と共に排液管２３に接続されている。排液管２３はこの実施例では水平に設置されている。【００２６】  排液管２３の下流の排液流路２７には薬剤殺菌浄水部２８が接続されている。この薬剤殺菌浄水部２８には、内部に次亜塩素酸カルシウムが納められたカートリッジ２９が交換自在にセットされている。この薬剤殺菌浄水部２８は前記水平に設置された排液管２３よりも高い位置に設置されている。従って排液管２３と排液流路２７との間には揚水ポンプ２６を介在させて、排液を排液流路２７まで揚げるようにしているのである。【００２７】  而して薬剤殺菌浄水部２８を通過する排液は、カートリッジ２９内の次亜塩素酸カルシウムの作用によって殺菌浄化されるが、さらに薬剤殺菌浄水部２８の排水口に繋る中継管２００を経て浄水槽２０１で瀘過され、こうして得られた浄化排水は浄化排水管２０２より排出されつつ、積算流量計２０３にて廃液の月間積算量が５０立方メートル以下であることが確認されることになる。なお本実施例では浄水槽２０１には２種類の活性炭と２種類の中空糸膜との計４層の瀘過物質が充填されており、これ等はカートリッジとして交換可能なものである。
【実施例３】
【００２８】  図３は本実施例の排液浄化装置３に係り、チェアユニット及び排液分離器は図示を省略しているが、このチェアユニットや排液分離器から繋る排液管３３は薬剤殺菌浄水部３０の頂部に接続されており、薬剤殺菌浄水部３０の排水口に接続された浄化排水管３４は殺菌浄水器３０の底部より取り出され浄化排水タンク３５に接続されている。なお符号３６は浄化排水タンク３５のタンク排水管を指している。【００２９】  この薬剤殺菌浄水部３０の内部は、スロープ３７が傾斜の方向を互い違いに変えて４段に組み合わされているため、矢線で示した排液流路３２をジクザグに排液が流れ下ることになる。この際に図３の背後の紫外線照射壁面３１から紫外線を照射される。従って排液は長い排液流路３２で繰り返し紫外線の照射を浴びて効率良く殺菌浄化されるのである。なお紫外線照射壁面３１はガラス面であり、この背後に図示しない紫外線殺菌灯が配置されている。【００３０】  またこの実施例の特徴は、スロープ３７の上に薬剤３８である塩素化イソシアヌル酸が流れ下る排液によって流されることがないように納められている。この実施例で薬剤３８は粒状のものを使用している。従ってスロープ３７を流れ下る排液は、このスロープ３７の薬剤３８すなわち塩素化イソシアヌル酸によって殺菌浄化されることになる。この薬剤３８に塩素化イソシアヌル酸を用いた理由は、この実施例のように紫外線が紫外線照射壁面３１から照射されるものである場合、紫外線は強力に塩素の分解を促進する方向に作用するが、イソシアヌル酸が存在することによって、塩素に先行してイソシアヌル酸が紫外線の作用を受けるために、塩素の分解作用を遅らせることが出来るのである。薬剤３８の塩素化イソシアヌル酸は大量の汚水に対しても、塩素濃度を上げて対応することが出来るのである。なお流量計に付いては他の実施例で説明済みであることから、煩雑になることを避けて説明を省略する。以下同様である。
【実施例３】
【００３１】  図４は本実施例の排液浄化装置４に係るが、チェアユニットや排液分離器は図示を省略している（実施例１の図１を参照のこと）。チェアユニットや排液分離器から繋る排液管４３は紫外線殺菌浄水器４０に接続されている。この紫外線殺菌浄水器４０は円筒形状を呈し、その内部は排液流路４１となっており、この排液流路４１中に複数本の紫外線殺菌灯４２が各々間を空け排液流路４１に沿って架け渡されている。すなわち紫外線殺菌浄水器４０の紫外線殺菌灯４２の間間が排液流路４１であることから、ここを流れている排液は紫外線によって高効率で殺菌浄化されることになる。なお紫外線殺菌浄水器４０には、鎖線で表したように排液流路４１の外側に紫外線のリフレクタ４７を配設するようにしても良い。【００３２】  そして紫外線殺菌浄水器４０の前段として、チェアユニットや排液分離器から繋る上記排液管４３に薬剤殺菌浄水部４５が接続されている。この薬剤殺菌浄水部４５には、内部に塩素化イソシアヌル酸が納められたカートリッジ４６が交換自在にセットされている。従って排液管４３を流れ下る排液は、このカートリッジ４６の塩素化イソシアヌル酸によって殺菌浄化されることになる。この塩素化イソシアヌル酸の作用は上述の通りである。すなわち本実施例では、薬剤殺菌浄水部４５と紫外線殺菌浄水器４０とによる相乗効果が得られるのである。【００３３】  こうして殺菌浄化された浄化排水は、浄化排水管４４から排出される。なお上記カートリッジ４６がセットされた薬剤殺菌浄水部４５をこの浄化排水管４４に取り付けるような設計も可能である。
【実施例４】
【００３４】  図５は本実施例の排液浄化装置５に係るが、このものはチェアユニット以下の排液流路のどこか都合の良い所に取り付ければ良いように構成されたものである。【００３５】  排液浄化装置５は筒状容器５０とその中に交換自在にセットされるカートリッジ５３とから成り、筒状容器５０の一側には流入口５１が、また他側には排出口５２が設けられている。上記カートリッジ５３の内部には次亜塩素酸カルシウムが納められている。従って排液流路のどこかに流入口５１と排出口５２とを接続すれば、本実施例の排液浄化装置５が直に使用可能となる。【００３６】  最後にその他の実施例を説明する。排液浄化装置にどのような形態のものを使用するかは任意である。また排液分離器からの排液を流すための排液流路と、チェアユニットからのうがい排液を流すための排液流路とを別々に設けて、その各々に排液浄化装置を適用する構成も本発明の権利範囲内にある。またうがい排液とはバキュームされていない排液のことであるから、この意味でうがい等排液と読み替えて差し支えない。すなわち本発明は患者周りの治療設備であるチェアユニットと、該チェアユニットからのバキューム排液から空気を除去して排液を取り出すための排液分離器と、該排液分離器からの排液とチェアユニットからの非バキューム排液とを流すための排液流路と、該排液流路に薬剤を介在させて排液を浄化するための排液浄化装置と、該排液浄化装置から浄化排水を取り出すための浄化排水管とを備えていることを特徴とする、歯科治療用の排液浄化システムである。
【産業上の利用可能性】
【００３７】  本発明の排液浄化システムは、単に歯科治療用に限定されるものではなく医療分野全般に広く適用可能である。この場合チェアユニットを、必要に応じてベッドユニットなどとすれば良い。
【符号の説明】
【００３８】  １    ：排液浄化装置            １０  ：チェアユニット
１１  ：バキューム排液管        １２  ：うがい排液管
１３  ：傾斜排液管              １４  ：排液分離器
１５  ：排液弁                  １６  ：薬剤殺菌浄水部
１７  ：カートリッジ            １８  ：浄化排水管
１９  ：浄化排水タンク          １００：流量計
１０１：排水管
２    ：排液浄化装置            ２０  ：チェアユニット
２１  ：バキューム排液管        ２２  ：うがい排液管
２３  ：排液管                  ２４  ：排液分離器
２５  ：排液弁                  ２６  ：揚水ポンプ
２７  ：排液流路                ２８  ：薬剤殺菌浄水部
２９  ：カートリッジ            ２００：中継管
２０１：浄水槽                  ２０２：浄化排水管
２０３：積算流量計
３    ：排液浄化装置            ３０  ：殺菌浄水器
３１  ：紫外線照射壁面          ３２  ：排液流路
３３  ：排液管                  ３４  ：浄化排水管
３５  ：浄化排水タンク          ３６  ：タンク排水管
３７  ：スロープ                ３８  ：薬剤
４    ：排液浄化装置            ４０  ：紫外線殺菌浄水器
４１  ：排液流路                ４２  ：紫外線殺菌灯
４３  ：排液管                  ４４  ：浄化排水管
４５  ：薬剤殺菌浄水部          ４６  ：カートリッジ
４７  ：リフレクタ
５    ：排液浄化装置            ５０  ：筒状容器
５１  ：流入口                  ５２  ：排出口
５３  ：カートリッジ
【図１】
2018149253.tif 000003
【図２】
2018149253.tif 000004
【図３】
2018149253.tif 000005
【図４】
2018149253.tif 000006
【図５】
2018149253.tif 000007